(57)【要約】【課題】映像とともに付加情報が記録されている記録媒体から再生される映像を、ＦＰＵ（Ｆｉｅｌｄ  Ｐｉｃｋｕｐ  Ｕｎｉｔ）を用いて伝送する場合であっても、映像と付加情報との関連付けが消えてしまわないシステムを提供する。【解決手段】映像再生装置１００は、再生対象とする映像ファイル１２１に関連付けられた付加情報ファイル１２２の内容またはそのＩＤ情報を２次元コード化して、その映像の前に一定の長さ挿入することを繰り返す形で映像の再生を行う。映像再生装置１００からの映像を受け取る映像記録装置は、映像内に挿入された２次元コードを検出し、その内容を付加情報ファイルとして自身の記録媒体に映像と関連付けて保存する。【選択図】図１
2015136089.tif 000002
【特許請求の範囲】
【請求項１】
撮影映像とその映像に関する付加情報とが記録された記録媒体から映像を再生する映像再生装置であって、
前記付加情報をコンピュータの画像処理によって埋め込まれた情報の読み出しが可能な記号であるマーカーが映ったマーカー映像に変換するマーカー映像生成部と、
前記マーカー映像を前記撮影映像の所定位置に挿入するマーカー映像挿入部と、
前記マーカー映像挿入部によって挿入された前記マーカー映像と前記撮影映像とを連続して送出する映像送出部とを備えた映像再生装置。
【請求項２】
請求項１記載の映像再生装置において、
前記記録媒体に記録された複数の映像を連続的に前記マーカー映像挿入部に供給する記録媒体読出部をさらに備え、
前記マーカー映像挿入部は、前記記録媒体読出部が供給する複数の映像の境界を検出するカット点検出部を有し、
前記マーカー映像挿入部は、前記カット点検出部が検出した映像の境界に前記マーカー映像を挿入する映像再生装置。
【請求項３】
請求項１記載の映像再生装置において、
前記付加情報は、その付加情報が関連付けられた撮影映像を一意に特定するためのＩＤ情報を含む映像再生装置。
【請求項４】
請求項１記載の映像再生装置において、
前記付加情報は、その付加情報が関連付けられた撮影映像の先頭のタイムコードを含む映像再生装置。
【請求項５】
請求項１記載の映像再生装置において、
前記付加情報は、その付加情報が関連付けられた撮影映像の時間的位置と、その時間的位置に関連付けられた情報とを含む映像再生装置。
【請求項６】
請求項１記載の映像再生装置において、
前記マーカーは、２次元コードである映像再生装置。
【請求項７】
入力された１つの映像信号を複数の映像ファイルに分割して記録する映像記録装置であって、
前記映像信号の中に映像として挿入され、コンピュータの画像処理によって埋め込まれた情報の読み出しが可能な記号であるマーカーが映ったマーカー映像を検出するマーカー検出部と、
前記マーカー検出部が検出した前記マーカー映像中のマーカーを復号して付加情報を取り出す付加情報復号部と、
前記マーカー検出部が検出した前記マーカー映像の前後の映像を分離する映像データ分離部と、
前記映像データ分離部が分離した映像を記録媒体に保存する映像データ保存部と、
前記付加情報復号部で取り出した付加情報を前記記録媒体に保存する付加情報保存部と、
対応関係にある前記映像と前記付加情報とを前記記録媒体上で関連付けるファイル関連付け部とを備えた映像記録装置。
【発明の詳細な説明】
【技術分野】
【０００１】
本開示は、映像とそれに付随する付加情報とが収録された記録媒体を用いる映像再生装置、および映像とそれに付随する付加情報とを記録媒体に記録する映像記録装置に関するものである。
【背景技術】
【０００２】
例えば特許文献１には、半導体メモリなどの記録媒体にファイルとして映像を記録する映像記録装置が開示されている。
【０００３】
このようにファイルとして映像を記録する映像記録装置の場合、撮影した映像に関連する付加情報を記録媒体に記録することも可能である。付加情報の例としては、映像の記録に用いられた動画圧縮方式といった技術的情報の他に、撮影した対象そのものや撮影した場所などに関連する情報がある。
【０００４】
例えば特許文献２には、映像に関連する付加情報を映像の時間軸に関連付けて記録する映像記録装置が開示されている。具体的に説明すると、この映像記録装置は、ユーザーのアクションを伴った付加情報入力手段として付加情報入力用ボタンを備えている。付加情報入力用ボタンは、３つのボタンにより構成され、カメラレコーダーの側面に備えられている。３つのボタンのうち、例えば、１つ目のボタンは重要シーンの登録用、２つ目のボタンはボタン操作を有効にしたり文字入力モードに切替えたりするモード切替え用、３つ目のボタンは登録のキャンセル用である。そして、撮影中に重要な場面で付加情報入力用ボタンを押すことにより、その重要な撮影場面（シーン）にマークやテキストなどの付加情報を付加することができる。なお、テキスト情報の入力については、映像記録装置が映像や音声を認識して、それに対応するテキストを自動生成することが可能となっている。
【０００５】
このように重要シーンのマーカーが映像に関連付けられて保存されていることにより、後の工程で映像を編集して使用する時（例えば、重要な部分だけを取り出してニュース番組で使用するといった時）に、長い映像の中から重要な部分をピックアップすることが飛躍的に容易になる。また、付加情報としてテキストが用いられている場合は、その付加情報をもとにして映像を検索することが可能になるため、映像の再利用が飛躍的に容易になる。
【０００６】
なお、これらの付加情報は、映像が記録されているのと同じ記録媒体にＸＭＬ（ｅＸｔｅｎｓｉｂｌｅ  Ｍａｒｋｕｐ  Ｌａｎｇｕａｇｅ）ファイルやテキストファイルとして保存したり、映像ファイルにメタデータとして埋め込んだりすることにより、情報の付加対象となる映像と関連付けて記録されるのが一般的である。
【先行技術文献】
【特許文献】
【０００７】
【特許文献１】特開平７−６７０６６号公報
【特許文献２】特開２００７−０８２０８８号公報
【発明の概要】
【発明が解決しようとする課題】
【０００８】
映像記録装置で撮影した内容を、撮影した現場から別の場所に転送する場合を考える。例えば、放送局などのニュース取材において、取材現場で撮影した映像を、撮影後すぐに本局へ伝送したいというケースである。
【０００９】
前記の通り、付加情報はテキストファイルや映像ファイル内のメタデータとして記録されるため、記録媒体に記録されたファイルをそのままデータ転送した場合は、映像とその付加情報は、その関連性を保持したまま遠隔地に転送される。具体的には、記録媒体に記録されたすべてのファイルを、インターネット回線を使ってＦＴＰ（Ｆｉｌｅ  Ｔｒａｎｓｆｅｒ  Ｐｒｏｔｏｃｏｌ）で転送したような場合は、付加情報を失うことなく映像を伝送できる。
【００１０】
しかし、放送局が要求する画質の映像ファイルを実用的な時間で転送できるほど高速なインターネット回線を取材現場で確保することは、現実的には難しいことが多い。そのような場合によく用いられているシステムが、ＦＰＵ（Ｆｉｅｌｄ  Ｐｉｃｋｕｐ  Ｕｎｉｔ）と呼ばれるテレビ放送用の映像伝送装置である。
【００１１】
ＦＰＵは送信機および受信機から構成される映像伝送装置で、送信機と受信機との間の通信には、ＵＨＦ（Ｕｌｔｒａ−Ｈｉｇｈ  Ｆｒｅｑｕｅｎｃｙ）波あるいはマイクロ波が用いられる。伝送対象となる映像（画像と音声）は、同軸ケーブルを用いて送信機にビデオカメラやマイクロフォンなどの信号を直接入力することにより供給される。すなわち、ＦＰＵによる伝送では、カメラで撮影された画像と音声のみが、遠隔地に伝送されるのである。
【００１２】
これは、撮影時に付加した付加情報が、ＦＰＵを通すことによって映像の受け取り側では消えてしまうことを意味する。すなわち、ＦＰＵを使用することによって、先に説明した付加情報があることによるメリット（検索性の向上など）を享受できなくなってしまう。
【００１３】
本開示は、上述のような問題に鑑みてなされたものであって、映像とともに付加情報が記録されている記録媒体から再生される映像を、ＦＰＵを用いて伝送する場合であっても、映像と付加情報との関連付けが消えてしまわないシステムを提供することを目的とする。
【課題を解決するための手段】
【００１４】
前記課題を解決するために、本開示にかかる映像再生装置は、撮影映像とその映像に関する付加情報とが記録された記録媒体から映像を再生する映像再生装置であって、付加情報をコンピュータの画像処理によって埋め込まれた情報の読み出しが可能な記号であるマーカーが映ったマーカー映像に変換するマーカー映像生成部と、マーカー映像を撮影映像の所定位置に挿入するマーカー映像挿入部と、マーカー映像挿入部によって挿入されたマーカー映像と撮影映像とを連続して送出する映像送出部とを備える。
【００１５】
また、本開示にかかる映像記録装置は、入力された１つの映像信号を複数の映像ファイルに分割して記録する映像記録装置であって、映像信号の中に映像として挿入されコンピュータの画像処理によって埋め込まれた情報の読み出しが可能な記号であるマーカーが映ったマーカー映像を検出するマーカー検出部と、マーカー検出部が検出したマーカー映像中のマーカーを復号して付加情報を取り出す付加情報復号部と、マーカー検出部が検出したマーカー映像の前後の映像を分離する映像データ分離部と、映像データ分離部が分離した映像を記録媒体に保存する映像データ保存部と、付加情報復号部で取り出した付加情報を記録媒体に保存する付加情報保存部と、対応関係にある映像と付加情報とを記録媒体上で関連付けるファイル関連付け部とを備える。
【発明の効果】
【００１６】
上記の構成によって、本開示にかかる映像再生装置を信号源として用いた場合は、ＦＰＵなどに代表される映像のみの転送装置を使った場合であっても、映像の受け取り側で当該映像に関連付けられた付加情報が失われることがない。また、本開示にかかる映像記録装置を受け取り側で用いた場合は、ＦＰＵなどに代表される映像のみの転送装置を使った場合であっても、受け取り側で映像のファイルとそれに関連付けられた付加情報のファイルとを作成することができる。これにより、映像の編集利便性の向上や検索性の向上といった、付加情報が存在することによるメリットが、映像の転送方法によって損なわれることがないシステムを構築することができる。
【図面の簡単な説明】
【００１７】
【図１】実施の形態１における映像再生装置のブロック図である。
【図２】図１の映像再生装置から送出される映像の例を示す図である。
【図３】実施の形態１における映像記録装置のブロック図である。
【図４】実施の形態１における映像ファイルと付加情報ファイルとの記録方法の例を示す図である。
【図５】図１中の記録媒体の具体的なファイル構成の例を示す図である。
【図６Ａ】実施の形態１における付加情報ファイルの例を示す図である。
【図６Ｂ】図６Ａに続く図である。
【図７】図６Ａおよび図６Ｂの付加情報ファイルを２次元コード化した例を示す図である。
【図８】図３中の記録媒体の具体的なファイル構成の例を示す図である。
【図９】実施の形態２における映像再生装置のブロック図である。
【図１０】実施の形態２における映像記録装置のブロック図である。
【図１１】付加情報ファイル中のＩＤ情報のみを２次元コード化した例を示す図である。
【発明を実施するための形態】
【００１８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１９】
なお、発明者は、当業者が本開示を十分に理解するために添付図面および以下の説明を提供するのであって、これらによって特許請求の範囲に記載の主題を限定することを意図するものではない。
【００２０】
（実施の形態１）
［１−１．システム構成］
まずは、映像再生装置の構成の説明を行う。図１は実施の形態１における映像再生装置のブロック図である。映像再生装置１００は、撮影映像とその映像に関する付加情報とが記録された記録媒体１０１から映像を再生する。
【００２１】
映像再生装置１００は、記録媒体読出部１０２と、付加情報解析部１０３と、映像データ復号部１０４と、マーカー映像生成部１０５と、マーカー映像挿入部１０８と、映像送出部１１１と、プレイリスト管理部１１３とを備える。映像再生装置１００は、記録媒体１０１に記録された映像ファイル１２１および付加情報ファイル１２２を再生してＳＤＩ信号（Ｓｅｒｉａｌ  Ｄｉｇｉｔａｌ  Ｉｎｔｅｒｆａｃｅ信号。ＳＭＰＴＥ  ２５９ＭおよびＳＭＰＴＥ  ２９２Ｍに準拠）として出力する装置である。記録媒体１０１に書き込まれているファイルは、記憶媒体読出部１０２を通じて読み出され、読み出された付加情報ファイルのデータは付加情報解析部１０３に、映像ファイルのデータは映像データ復号部１０４にそれぞれ渡される。なお、読み出す対象となる映像ファイルおよび付加情報ファイルは、プレイリスト管理部１１３が管理するプレイリストによって決定され、記録媒体読出部１０２は前記プレイリストに含まれる映像に関するファイルを順番に、連続的に読み出す。
【００２２】
付加情報解析部１０３は、付加情報ファイルから必要な情報を抽出し、マーカー映像生成部１０５に渡す。抽出する情報の具体的な例については後述する。
【００２３】
マーカー映像生成部１０５は、２次元コード生成部１０６と動画化部１０７とを備え、２次元コード生成部１０６によって、付加情報解析部１０３から渡されたデータを２次元コード、例えばＩＳＯ／ＩＥＣ  １８００４：２００６に規定されたＱＲコード（登録商標）に変換する。さらに、動画化部１０７によって、静止画である２次元コードを一定の長さ（例えば、１フレームから数秒程度）の映像データ（以降、マーカー映像と呼ぶ）へと変換する。作成されたマーカー映像は、マーカー映像挿入部１０８へと渡される。ここでマーカー映像とは、コンピュータの画像処理によって埋め込まれた情報の読み出しが可能な記号であるマーカーが映った映像であると定義する。
【００２４】
一方、映像データ復号部１０４は、入力された映像ファイルのデータがＭＰＥＧ（Ｍｏｖｉｎｇ  Ｐｉｃｔｕｒｅ  Ｅｘｐｅｒｔｓ  Ｇｒｏｕｐ）規格やＤＶ規格に従った圧縮映像データであった場合は、この映像を復号する。復号された映像信号は、マーカー映像挿入部１０８へと渡される。マーカー映像挿入部１０８は、カット点検出部１０９とミキサー１１０とを備える。
【００２５】
カット点検出部１０９は、映像データ復号部１０４から渡される映像信号の境界を検出する。ここでいう映像信号の境界とは、例えば、記録媒体１０１に記録された映像ファイルの開始点および終了点に相当する映像フレームの検出である。これらの境界は、関連付けられる付加情報ファイルが切り替わる点に相当する。そこでミキサー１１０は、その映像の境界にマーカー映像を挿入するために、カット点検出部１０９からカット点の検出通知を受けると、映像データ復号部１０４から渡された映像を映像送出部１１１に渡すのを一時停止し、その代わりに、プレイリスト上で次に再生することになっている映像ファイルに関連付けられた付加情報ファイルに関するマーカー映像を映像送出部１１１に渡す。映像送出部１１１はＳＤＩ信号化部１１２を備え、入力された映像信号を、同軸ケーブルを使って伝送可能なＳＤＩ信号へと変換する。こうして変換されたＳＤＩ信号は、先に説明したＦＰＵの送信機への入力信号として用いられる。
【００２６】
以上の構成により、ＦＰＵの送信機から受信機に送信される映像は、図２に示すものとなる。映像ファイルの切れ目ごとに２次元コードが表示されたマーカー映像が挿入され、その２次元コードの内容は、それに後続する映像に関連付けられた付加情報となっている。また、図２には付加情報としてマーカー映像に加えて、人間の可読性を高めるために２次元コードに含まれている情報をテキストとして画面脇に書かれている。もちろん、付加情報としてはマーカー映像だけでも問題はない。
【００２７】
次に映像記録装置の構成の説明をする。図３は実施の形態１における映像記録装置のブロック図である。映像記録装置３００は入力された１つの映像信号を複数の映像ファイルに分割して記録する。
【００２８】
映像記録装置３００は、映像受信部３０１と、マーカー検出部３０３と、映像データ分離部３０５と、付加情報復号部３０６と、映像圧縮部３０７と、記録媒体書出部３０８とを備える。映像記録装置３００は、ＦＰＵ伝送などを経由してＳＤＩ信号として入力されてきた映像を記録媒体３１１に記録する装置である。
【００２９】
映像受信部３０１はＳＤＩ信号復号部３０２を備え、当装置に入力されたＳＤＩ信号を映像へと復号して、モニター３０４と、マーカー検出部３０３と、映像データ分離部３０５とに渡す。モニター３０４は、当装置に入力された映像をリアルタイムにユーザーが視聴するために設置されている。
【００３０】
マーカー検出部３０３は、入力される映像を監視し、その映像内にデコード可能な２次元コードがないかを検出する。もし映像内に２次元コードが検出でき、その内容が映像への付加情報であると判別された場合は、映像データ分離部３０５にその旨を通知する。
【００３１】
映像データ分離部３０５は、マーカー検出部３０３からの通知がない間は、入力されるデータを映像圧縮部３０７に渡し続ける。一方、マーカー検出部３０３から通知がなされている間は、入力されるデータを付加情報復号部３０６に渡す。付加情報復号部３０６は、データが入力される毎に、入力映像から１フレームを抽出し、その中に含まれる２次元コードを付加情報ファイルの内容へと復号する。付加情報復号部３０６が復号した内容は、記録媒体書出部３０８が備える付加情報保存部３０９へと渡される。一方、映像圧縮部３０７は、入力された映像データを例えばＭＰＥＧ２やＤＶといったアルゴリズムで圧縮する。記録媒体上を占めるサイズを軽減するためである。圧縮されたデータは、記録媒体書出部３０８が備える映像データ保存部３１０に渡される。記録媒体書出部３０８は、付加情報保存部３０９および映像データ保存部３１０に加え、ファイル関連付け部３１２を備える。
【００３２】
ファイル関連付け部３１２は、映像データ分離部３０５の出力切り替えを監視することで、付加情報と映像データとの対応関係を検出する。そして、対応する付加情報と映像データとを、記録媒体３１１上で関連性が分かるようにして保存する。例えば、図４に示すように、記録媒体３１１内にＶＩＤＥＯフォルダとＣＬＩＰフォルダとを作成し、関連付けられた映像ファイルと付加情報ファイルとに同じファイル名を付与し、映像ファイルでは拡張子をＭＸＦ（Ｍａｔｅｒｉａｌ  ｅＸｃｈａｎｇｅ  Ｆｏｒｍａｔ：ＳＭＰＴＥ３７７Ｍ）としてＶＩＤＥＯフォルダに、付加情報ファイルでは拡張子をＸＭＬとしてＣＬＩＰフォルダにそれぞれ保存することにより、両者の関連性を明示して記録媒体３１１上に保存するのである。
【００３３】
［１−２．動作］
以下に、具体的な内容を持ったデータの例を示しながら、映像再生装置１００および映像記録装置３００の動作について説明する。
【００３４】
まず、映像再生装置１００の動作について説明する。
【００３５】
記憶媒体１０１には、映像ファイル１２１と付加情報ファイル１２２とが記録されているが、これは撮像機１２０によって記録されたものである。映像ファイル１２１と付加情報ファイル１２２とは、記録媒体１０１内のファイルシステムにおいて、互いの関連性が明確に分かるようにして保存されている。その例が、図５である。図５に示すように、記録媒体１０１内のファイルシステムにはＣＯＮＴＥＮＴＳフォルダが存在し、撮像機１２０によって記録されるファイルはすべてこのフォルダに保存される。ＣＯＮＴＥＮＴＳフォルダの下にはＶＩＤＥＯフォルダとＣＬＩＰフォルダとが存在し、映像ファイルはＶＩＤＥＯフォルダに、付加情報ファイルはＣＬＩＰフォルダにそれぞれ保存される。保存される際、対応する映像ファイルおよび付加情報ファイルには、拡張子だけが異なる同じ名前が付与される。図５で示した例では、ＶＩＤＥＯフォルダの下に置かれた００１．ｍｘｆという映像ファイルと、ＣＬＩＰフォルダの下に置かれた００１．ｘｍｌという付加情報ファイルとがペアである。このファイル名を用いた関連付けにより、人間にもコンピュータにもその関連性判断が容易になる。
【００３６】
映像ファイル１２１は、ＭＸＦというファイル形式で記録されている。これは業務用の映像機器で広く用いられているファイルフォーマットである。これに対し、付加情報ファイル１２２はＸＭＬ形式で保存されている。ＸＭＬ形式は、記述内容の自由度が非常に高いマークアップ言語であるため、様々な付加情報を収録する必要のある業務用の映像機器に適している。
【００３７】
具体的な付加情報ファイルの中身の例を図６Ａおよび図６Ｂに示す。すべての付加情報は「Ｐ２Ｍａｉｎ」タグの中に記述されている。さらに、動画や音声のフォーマットといった技術的なパラメータ類は「ＣｌｉｐＣｏｎｔｅｎｔ」タグの下に記述され、作成日時、撮影した機材およびメモといった付加情報は「ＣｌｉｐＭｅｔａｄａｔａ」タグの下に記述されている。
【００３８】
図６Ａおよび図６Ｂに示されている付加情報の中で特に重要なものについて説明する。
【００３９】
まず「ＧｌｏｂａｌＣｌｉｐＩＤ」は、この付加情報ファイルと関連付けられた映像ファイルを一意に特定するためのＩＤである。前述のように映像ファイルは記録媒体内で例えば「００１．ｍｘｆ」といったファイル名を持っているわけであるが、このファイル名を、このファイルが記録されている記録媒体を離れて、映像ファイルを一意に特定する目的で用いることはできない。それは特に、記録媒体のファイルシステムとして、ＳＤカードなどで用いられているＭＳ−ＤＯＳ（登録商標）のファイルシステムを用いた時により顕著である。このファイルシステムでは、ファイル名として８文字以上の英数字を使うことができない。これは、世界中で撮影されたあらゆる映像ファイルに一意の名前をつけるのにはあまりに短すぎることは明らかである。２つの異なる記録媒体の中に内容は異なるのに同じファイル名を持つ映像ファイルが存在するという事態は頻繁に生じ得る。そのため、複数の記録媒体からデータをコピーして１つの記録媒体に集約するときなどは、衝突したファイル名の変更をせざるをえない。つまり、ファイル名は各映像に対する固有のＩＤであるとはいえない。
【００４０】
そこで用いるのが、前記のＧｌｏｂａｌＣｌｉｐＩＤである。このＩＤは充分な長さを持った英数字の文字列とし、その生成に一定のアルゴリズムを割り当てることによって、異なる映像ファイルには必ず異なるＩＤが割り振られるようにしている。このＧｌｏｂａｌＣｌｉｐＩＤの具体的な生成アルゴリズムの例としては、放送業界の標準的な素材識別子として用いられているＵＭＩＤ（Ｕｎｉｑｕｅ  Ｍａｔｅｒｉａｌ  Ｉｄｅｎｔｉｆｉｅｒ：ＳＭＰＴＥ  ３３０Ｍ）が挙げられる。
【００４１】
次に「Ｄｕｒａｔｉｏｎ」では、この付加情報ファイルと関連付けられた映像ファイルの長さを示している。単位はフレームである。つまり図６Ａに示した例であれば、映像ファイルの長さは１１８フレームである。
【００４２】
さらに「ＳｔａｒｔＴｉｍｅｃｏｄｅ」というタグは、この付加情報ファイルと関連付けられた映像ファイルの先頭フレームに付与されたタイムコードを示している。タイムコードとは、ＳＭＰＴＥ  １２Ｍ−１および１２Ｍ−２で規格化された、映像信号に対して用いる時刻情報であり、映像情報内のフレームに対して単調増加の時間情報を付与するものである。図６Ａに示した例であれば、この付加情報ファイルと関連付けられた映像ファイルの先頭のフレームに付与されたタイムコードは１６：０５：５９：２７（１６時間０５分５９秒２７フレーム）であることを示している。
【００４３】
また、「ＣｌｉｐＭｅｔａｄａｔａ」タグの下には、「Ｍｅｍｏｓ」タグが存在する。これは、この付加情報ファイルと関連付けられた映像ファイルの特定の時間的位置、すなわち特定のフレームに対して付与された情報（ここではテキストメモ）に対応している。つまり、図６Ｂに示した例であれば、映像ファイルの先頭から８２フレーム目に、「Ｐｒｅｓｉｄｅｎｔ」という文字情報が関連付けられていることを表している。「Ｍｅｍｏｓ」タグの下に「Ｍｅｍｏ」タグを複数併記することにより、映像内の複数の時間的位置に、複数のテキストメモを記述することも可能である。
【００４４】
以上に説明した情報が、映像ファイルに対して関連付けられる付加情報の代表的なものである。前述の通り、これらの情報は映像の編集時に重要なシーンを探す場合や、アーカイブされた映像資料の中から必要な映像を探す場合などに非常に役に立つものであるが、映像のみを伝送すると失われてしまうものである。
【００４５】
以下に、本開示にかかる映像再生装置１００を用いて、記録媒体１０１に記録された映像ファイル００１．ｍｘｆおよび００２．ｍｘｆという２つの映像を、ＳＤＩ信号出力を通して連続して再生し、ＦＰＵで伝送する場合について説明する。
【００４６】
ユーザーは、映像００１と映像００２とを連続して再生する旨を、プレイリスト管理部１１３に対して設定する。その具体的な方法としては、映像再生装置１００のディスプレイに表示された映像ファイルごとのサムネイルから、再生対象とするものを順番に選択することにより、再生順番を管理するソフトウェアに、再生する映像とその再生順とを設定する、といった方法が考えられる。
【００４７】
プレイリスト管理部１１３は、設定された情報をもとに、まず記録媒体１０１から映像ファイル００１．ｍｘｆと付加情報ファイル００１．ｘｍｌとの２つを読み出すように、記録媒体読出部１０２に指示する。そして、映像００１に関する処理が終了した後は、その次の映像００２に関するファイル（００２．ｍｘｆと００２．ｘｍｌ）の読み出しを指示するのである。記録媒体読出部１０２の具体的な例としては、Ｗｉｎｄｏｗｓ（登録商標）やＬｉｎｕｘ（登録商標）といったオペレーションシステムのファイルシステムモジュールが考えられる。つまり、これらが持つファイル読み出しのＡＰＩ（Ａｐｐｌｉｃａｔｉｏｎ  Ｐｒｏｇｒａｍｍｉｎｇ  Ｉｎｔｅｒｆａｃｅ）を呼び出すことにより、記録媒体１０１から目的のファイルを読み出してゆく。
【００４８】
以上のようにして読み出したファイルのうち、映像ファイル００１．ｍｘｆの内容は映像データ復号部１０４に渡され、付加情報ファイル００１．ｘｍｌの内容は付加情報解析部１０３へと渡される。
【００４９】
映像データ復号部１０４は、ハードウェアまたはソフトウェアとして実装されたデコーダーである。ｍｘｆ形式のファイルに収められた動画像および音声は、通常何らかの圧縮処理がなされている。例えば動画像に対してはＨ．２６４（ＩＳＯ／ＩＥＣ  １４４９６−１０）、音声に対してはＡＡＣ（Ａｄｖａｎｃｅｄ  Ａｕｄｉｏ  Ｃｏｄｉｎｇ：ＩＳＯ／ＩＥＣ  １３８１８−７）で圧縮を行っている、という具合である。映像ファイルを再生するためにはこれらをデコードしなければならないため、映像データ復号部１０４が必要となる。
【００５０】
一方、付加情報解析部１０３は、付加情報ファイルから必要な情報を抽出するソフトウェアまたはハードウェアであり、本例であればＸＭＬパーサーソフトウェアである。図６Ａおよび図６Ｂに示したＸＭＬ文章を解釈し、例えば映像ファイルの長さが「１１８フレーム」であることを読み取る。この、映像の長さに関する情報は、カット点検出部１０９で映像の切れ目を判断する時に重要な情報となる。
【００５１】
また、後のステップで２次元コードを作成するにあたり、付加情報ファイルに記録された情報の一部のみを用いる場合は、ここで必要な情報のみを抽出してマーカー映像生成部１０５に渡す。２次元コードに記録できる文字数の制約内に収めるために、受信側で推測可能な情報を省略したり、冗長な情報を省略したりする必要が生じることも考えられるからである。ただし、本例では、付加情報ファイルのＸＭＬ文章をそのままマーカー映像生成部１０５に渡すものとして説明を進める。
【００５２】
マーカー映像生成部１０５は、付加情報解析部１０３から受け取ったデータを２次元コード生成部１０６の入力とする。２次元コード生成部１０６は、入力された情報を２次元コードの静止画に変換するソフトウェアまたはハードウェアである。例えば、図７は本例における図６Ａおよび図６ＢのＸＭＬ文章を２次元コードに変換したものである。
【００５３】
このようにして作成された２次元コードを含む静止画は動画化部１０７に渡され、所定の長さの動画へと変換される。具体的には、動画化部１０７とは、図７で示した静止画を所定の長さのフレーム数分複製するという処理を行うソフトウェアまたはハードウェアである。ここでいう「所定の長さ」とは、ユーザーが予め映像再生装置１００に対して設定しておく「２次元コードの表示時間」であり、実運用上は１フレームから数秒程度の長さが適当である。
【００５４】
映像データ復号部１０４の出力とマーカー映像生成部１０５の出力とは、ミキサー１１０に集約される。ミキサー１１０は、カット点検出部１０９からの指示に従い、映像送出部１１１に出力する映像を映像データ復号部１０４の出力とマーカー映像生成部１０５の出力とのいずれにするかを切り替えることができるソフトウェアまたはハードウェアである。
【００５５】
カット点検出部１０９は、映像データ復号部１０４からミキサー１１０に入力された映像データを監視し、プレイリスト管理部１１３に設定された映像の境界を検出するソフトウェアまたはハードウェアである。ここでいう「映像の境界」とは、本実施の形態で説明すると、プレイリストに設定された００１．ｍｘｆに関連する映像の最後のフレームと、その次に再生するものとして設定された００２．ｍｘｆに関連する映像の最初のフレームとの境界がそれである。具体的な動作原理の一例としては、付加情報解析部１０３から取得できるプレイリスト内の各映像の長さ（例えばフレーム数）と、映像データ復号部１０４からミキサー１１０に入力された映像の長さとを比較することによって、どこが映像の境界であったかを判断し、ミキサー１１０にカット点検出通知として通知する方法が考えられる。
【００５６】
ミキサー１１０は、カット点検出部１０９からの通知をもとにして、映像送出部１１１へ出力する映像を、マーカー映像生成部１０５からのものと、映像データ復号部１０４からのものとで切り替えるソフトウェアまたはハードウェアである。本実施の形態では、まずミキサー１１０は、００１．ｍｘｆに関する所定の長さのマーカー映像をマーカー映像生成部１０５から取得し、映像送出部１１１へと出力する。その後続けて、映像データ復号部１０４から映像データを取得して映像送出部１１１へと出力する。前記のようにカット点検出部１０９は、ミキサー１１０が００１．ｍｘｆに関する映像データをすべて取り終わった時点でカット点検出通知を送ってくるので、ミキサー１１０はその段階で映像データの取得対象を再びマーカー映像生成部１０５へと切り替え、所定の長さのマーカー映像を取得する。それにより得られるマーカー映像は、００２．ｍｘｆに関するものとなる。ミキサー１１０は、所定の長さのマーカー映像を映像送出部１１１に出力した後、再度映像データ復号部１０４から映像の取得を開始し、００２．ｍｘｆに関する映像を映像送出部１１１へと出力する。その結果、映像出力部１１１へと出力される映像データは図２のようになるのである。
【００５７】
映像送出部１１１は、ＳＤＩ信号化部１１２を通じて映像データを外部に出力する。ＳＤＩ信号化部１１２は、入力された映像信号をＳＭＰＴＥ  ２９２Ｍなどで規格化された非圧縮のデジタル信号へと変換するソフトウェアまたはハードウェアであり、その出力信号は、映像送出部１１１が備えるＢＮＣコネクタに接続された同軸ケーブルへと出力される。
【００５８】
以上に説明した映像再生装置１００の動作により、映像に対して関連付けられた付加情報がＳＤＩ信号による送信を経ても失われることなく、「マーカー映像」という形で映像と関連付けて付加情報を出力することが可能となる。
【００５９】
次に、映像記録装置３００の動作について説明する。
【００６０】
映像受信部３０１は、外部から入力されるＳＤＩ信号を受信する。映像受信部３０１は、例えばＢＮＣコネクタを備えたハードウェアであり、そこに接続された同軸ケーブルを通じて映像信号を受け取る。また、映像受信部３０１は、ＳＤＩ信号復号部３０２を備える。ＳＤＩ信号復号部３０２は、ＳＭＰＴＥ  ２９２Ｍなどで規格化された非圧縮のデジタル信号を、人間が視認可能な映像へと戻すソフトウェアまたはハードウェアである。例えばその復号結果がモニター３０４へと出力されることで、映像記録装置３００へと入力されている映像の内容をユーザーがリアルタイムに視聴することを可能とする。
【００６１】
また、ＳＤＩ信号復号部３０２によって復号された映像は、マーカー検出部３０３および映像データ分離部３０５へも入力される。マーカー検出部３０３は、入力された映像の中に２次元コードが存在するか否かを判断し、存在すると判断した場合はその旨を映像データ分離部３０５へと通知するソフトウェアまたはハードウェアである。映像データ分離部３０５は、映像受信部３０１から入力された映像を、マーカー検出部３０３が２次元コードを検出した旨の通知をしている間は付加情報復号部３０６へと出力し、それ以外の場合は映像圧縮部３０７へと出力する。これにより、映像再生装置１００が出力したマーカー映像と通常の映像とを分離するのである。
【００６２】
付加情報復号部３０６は、映像中に含まれる２次元コードを解釈してその内容を文字情報にするソフトウェアまたはハードウェアである。例えば入力された２次元コードが図７に示すものであった場合、付加情報復号部３０６は図６Ａおよび図６Ｂの文字情報を得る。その結果は、記録媒体書出部３０８が備える付加情報保存部３０９へと出力される。付加情報保存部３０９は、受け取ったデータを、例えばＸＭＬファイルとして記録媒体３１１に書き出す。その時に用いられるファイル名やパスの決定方法は後述する。
【００６３】
一方、映像圧縮部３０７は、入力された映像を、例えば動画像部分に関してＨ．２６４、音声に関してＡＡＣで圧縮するソフトウェアまたはハードウェアである。その出力結果は記録媒体書出部３０８が備える映像データ保存部３１０へと出力される。このとき、出力結果は映像データ分離部３０５が出力先を映像圧縮部３０７から付加情報復号部３０６へと切り替えるたびに分割される。これはすなわち、映像データ保存部３１０をオペレーションシステムのファイルシステムモジュールであると考えた場合、映像データ分離部３０５が出力先を付加情報復号部３０６から映像圧縮部３０７へ切り替えた段階で映像ファイルがオープンされ、映像データ分離部３０５が出力先を映像圧縮部３０７から付加情報復号部３０６へ切り替えた段階で映像ファイルがクローズされるということである。これにより、例えば図２で示す入力映像のＡの部分とＢの部分とを、別々の映像ファイルとして記録媒体３１１に保存するのである。
【００６４】
なお、映像圧縮部３０７の圧縮フォーマットは、原理的には任意である。通常は映像再生装置１００の記録媒体１０１に格納された映像ファイル１２１と同じ圧縮フォーマットが用いられると考えられるが、その必然性はない。本実施の形態では、映像再生装置１００側の記録媒体１０１に記録されている映像と、映像記録装置３００側の記録媒体３１１に記録されている映像との内容の一致のみをめざしているのであり、ファイルの映像フォーマットの一致や、ましてビット単位での一致は必要としていないためである。
【００６５】
先に説明した通り、記録媒体書出部３０８が備える付加情報保存部３０９および映像データ保存部３１０は、記録媒体３１１に対してデータをファイルとして書き込むためのソフトウェアまたはハードウェアであり、具体的な例としては、オペレーションシステムのファイルシステムモジュールである。つまり、これらが持つファイル書き出しのＡＰＩを呼び出すことにより、記録媒体３１１に目的のファイルを書き出してゆく。
【００６６】
その書き出す時のファイル名やパスを決定するのが、記録媒体書出部３０８が備えるファイル関連付け部３１２である。ファイル関連付け部３１２は、ペアとなる映像ファイルと付加情報ファイルとにつき、記録媒体３１１上にその関連付けが明確となる形でファイル名やパスを決定し、保存するソフトウェアまたはハードウェアである。例えば、ファイル関連付け部３１２は、映像データ分離部３０５の出力切り替えを監視する。例えば図２に示した映像データを処理する場合、映像データ分離部３０５はまず最初の２次元コードを処理するために、出力先を付加情報復号部３０６とするはずである。そしてその処理が終わると、映像Ａについての処理を行うため、今度は出力先が映像圧縮部３０７となる。そして映像Ａの処理が終わると、２番目の２次元コードを処理するために、映像データ分離部３０５は再び出力先を付加情報復号部３０６へと切り替える。すなわちこの時点で、映像Ａおよびそれに関連する２次元コードの処理が終わったことが分かる。ファイル関連付け部３１２は、その時点で付加情報保存部３０９および映像データ保存部３１０に渡されているデータをペアとして扱う。この関係性を明確にするため、例えば図８のように、ＣＯＮＴＥＮＴＳフォルダの下に作成したＶＩＤＥＯフォルダに映像ファイルを、ＣＬＩＰフォルダに付加情報ファイルをそれぞれ置き、それらのファイル名を、拡張子以外は同じものにする。図８の例では「００ａ」がその共通ファイル名であり、映像ファイルについては拡張子にＭＸＦが、付加情報ファイルについては拡張子にＸＭＬがそれぞれ使用されている。これにより、機械的にも、人間の眼で見た場合にも、両者が関連性を持ったファイルのペアであることが明確になる。
【００６７】
［１−３．効果等］
以上の動作により、映像記録装置３００の備える記録媒体３１１に、映像再生装置１００の備える記録媒体１０１に記録された映像ファイル１２１と同一の内容の映像ファイルが記録される。さらに、映像再生装置１００の備える記録媒体１０１に記録された付加情報ファイル１２２と全く同一の内容の付加情報ファイルが、映像記録装置３００の備える記録媒体３１１に記録され、これら映像ファイルと付加情報ファイルとの関連付けも明確になっている。つまり、ＳＤＩ転送という方式を用いた場合でも、付加情報が失われることなく、映像再生装置１００から映像記録装置３００へと映像を伝送することができる。
【００６８】
（実施の形態２）
［２−１．システム構成］
実施の形態１では、映像再生装置１００の備えるマーカー映像生成部１０５が、付加情報ファイル１２２の内容すべてを２次元コードとしてエンコードする場合について説明した。しかし、２次元コードに含むことのできる情報量には上限がある。例えば、ＱＲコード（登録商標）の最大のバージョン（バージョン４０）を用い、誤り訂正能力を最低（レベルＬ）にしても、英数字で最大４２９６文字、かなや漢字を含む場合は最大１８１７文字しか格納できない。これは、付加情報として多くのマークやテキストを映像に関連付けた場合は、必ずしも充分なサイズであるとは言えない。また、図７に示したような情報量の大きい（バージョンが大きい）２次元コードを使った場合は、映像を伝送する過程である程度の解像度を保持しなければ、情報そのものが読み取り不能になってしまう可能性がある。例えば通信過程において、画面の解像度の縮小が行われた場合や、劣悪なアナログ変調が含まれた場合や、圧縮率の高いエンコードが挟まれた場合などは、映像内に挿入された２次元コードの情報が失われるのである。
【００６９】
その対策として、バージョンの小さい２次元コードを用いることや、誤り訂正能力を上げた２次元コードを用いることが考えられるが、それは２次元コードに含むことのできる情報量がさらに少なくなることを意味する。
【００７０】
そこで、伝送する映像に含まれる２次元コードには、映像ファイルを特定するための情報のみを含め、詳細な付加情報は別途送付し、受け取り先で改めて関連付けを行う、という運用形態が考えられる。この運用形態について、以下で説明する。
【００７１】
図９は実施の形態２における映像再生装置のブロック図である。なお、図１に示した実施の形態１における映像再生装置１００と同じ機能を有するブロックについては、同じ記号を付している。
【００７２】
図９の映像再生装置９００は、図１の映像再生装置１００が備えるブロックに加え、ＩＤ抽出部９０１を付加情報解析部１０３の内部に備える。ＩＤ抽出部９０１は、付加情報解析部１０３が付加情報ファイル１２２から抽出した情報の中から、映像ファイルを一意に特定するために必要な情報（以下、ＩＤ情報という）のみを選び出す。こうして選び出されたＩＤ情報をマーカー映像生成部１０５が備える２次元コード生成部１０６へと渡すことにより、本実施の形態における映像再生装置９００は、付加情報ファイル１２２全体ではなく、ＩＤ情報のみを２次元コードにして映像に付加するのである。
【００７３】
また、映像再生装置９００は、外部接続部９０２を備える。外部接続部９０２は、外部端末９０３から記録媒体１０１に記録されているファイルを参照することを可能にする。
【００７４】
映像再生装置９００で映像を再生する作業とは別に、ユーザーは外部端末９０３を使って外部接続部９０２を通じて付加情報ファイル１２２を外部端末９０３に取り込む。そして、ユーザーは、付加情報ファイル１２２の内容を外部端末９０３から外部サーバー９０４へと送信する。
【００７５】
以上の構成により、ＦＰＵの送信機から受信機に送信される映像に含まれる２次元コードはＩＤ情報のみを含むものとなり、一方付加情報ファイルに含まれる情報の全貌は外部サーバー９０４に保存されることになる。
【００７６】
図１０は実施の形態２における映像記録装置のブロック図である。なお、図３に示した実施の形態１における映像記録装置と同じ機能を有するブロックについては、同じ記号を付している。
【００７７】
図１０の映像記録装置１０００は、図３の映像記録装置３００が備えるブロックに加え、付加情報ファイル検索部１００１を備える。付加情報ファイル検索部１００１は映像記録装置１０００が備える外部接続部１００２を通じて映像記録装置１０００の外部と通信する。この通信を通じて、付加情報ファイル検索部１００１は、付加情報復号部３０６から出力されたＩＤ情報を検索キーとして、付加情報に含まれる情報の全貌をデータベースサーバー１００３から取得する。こうして取得した付加情報の全貌を、付加情報保存部３０９へと出力することにより、記録媒体３１１に付加情報ファイルを書き出す。
【００７８】
以上の構成により、映像受信部３０１で受信した映像に挿入された２次元コードがＩＤ情報のみを含んでいた場合であっても、付加情報の全貌を記録媒体３１１に記録することが可能となっている。
【００７９】
［２−２．動作］
以下に、具体的な内容を持ったデータの例を示しながら、映像再生装置９００および映像記録装置１０００の動作について説明する。なお、実施の形態１の映像再生装置１００および映像記録装置３００と同じ動作については、説明を省略する。
【００８０】
まず、映像再生装置９００の動作について説明する。
【００８１】
本実施の形態においても、記録媒体１０１に記録された映像ファイル１２１と付加情報ファイル１２２とは実施の形態１と同じ方法で記録されており、付加情報ファイル１２２の１つである「００１．ｘｍｌ」の内容は図６Ａおよび図６Ｂに示したＸＭＬファイルであるとする。
【００８２】
付加情報解析部１０３は、前記の通り付加情報ファイルから必要な情報を抽出するソフトウェアまたはハードウェアであり、本例であればＸＭＬパーサーソフトウェアである。本実施の形態においては、付加情報解析部１０３はさらにＩＤ抽出部９０１を備える。ＩＤ抽出部９０１は付加情報ファイルから、その付加情報が関連付けられた映像ファイルを一意に特定するために必要な情報のみを抽出するソフトウェアまたはハードウェアである。図６Ａおよび図６ＢのＸＭＬファイルを付加情報ファイルの例とした場合であれば、ＸＭＬパーサーが解釈した情報の中から「ＧｌｏｂａｌＣｌｉｐＩＤ」タグでマークアップされた情報「０６０Ａ２Ｂ３４０１０１０１０５０１０１０Ｄ４３１３００００００ＡＢ９３５Ｅ７７６１６５０５Ｄ１００８０４５８２０００００００２」のみを抽出するソフトウェアである。「ＧｌｏｂａｌＣｌｉｐＩＤ」が、ＵＭＩＤなどを生成アルゴリズムとする、映像ファイルを一意に特定するための情報であることは、実施の形態１で説明した通りである。
【００８３】
ＩＤ抽出部９０１によって抽出されたＩＤ情報は、マーカー映像生成部１０５が備える２次元コード生成部１０６へと出力される。ここで、ＩＤ情報の情報量はＸＭＬファイル全体を扱う場合よりも極めて少ないことは明らかである。例えばＩＤ情報としてＵＭＩＤを用いた場合は、最大でバイナリで６４バイトであるから、１６進数の文字情報に変換してもせいぜい１２８文字である。前記ＧｌｏｂａｌＣｌｉｐＩＤをＱＲコード（登録商標）のバージョン８、誤り訂正能力レベルＨで表現したものが図１１である。
【００８４】
映像再生装置９００は、実施の形態１と同様の動作によって、図１１に示した２次元コードからマーカー映像を生成し、それが関連付けられた映像と一緒にマーカー映像を映像送出部１１１から外部に出力する。
【００８５】
一方、映像再生装置９００は、外部接続部９０２を備えているため、記録媒体１０１に保存された付加情報ファイル１２２を外部端末９０３から参照できる。ここで外部端末９０３とは具体的にはパソコンや携帯電話といった電子機器である。そして、外部接続部９０２とは、これらと映像再生装置９００とを接続するためのハードウェアおよびその制御ソフトウェアである。具体的なハードウェアとしては、ＵＳＢ（Ｕｎｉｖｅｒｓａｌ  Ｓｅｒｉａｌ  Ｂｕｓ）端子やｅＳＡＴＡ（ｅｘｔｅｒｎａｌ  Ｓｅｒｉａｌ  ＡＴＡ）端子といったストレージ系の接続端子や、有線ＬＡＮ（Ｌｏｃａｌ  Ａｒｅａ  Ｎｅｔｗｏｒｋ）、無線ＬＡＮ、Ｂｌｕｅｔｏｏｔｈ（登録商標）といったネットワーク系の接続モジュールである。これらのハードウェアを通じて記録媒体１０１に記録されたファイルを外部端末９０３に提供する具体的なソフトウェアとしては、例えばＵＳＢ  Ｍａｓｓ  Ｓｔｏｒａｇｅ  Ｄｅｖｉｃｅとして記録媒体１０１をＵＳＢ端子からみせるドライバソフトウェアや、ＨＴＴＰ（Ｈｙｐｅｒｔｅｘｔ  Ｔｒａｎｓｆｅｒ  Ｐｒｏｔｏｃｏｌ）によってネットワーク経由で記録媒体１０１内のファイルをダウンロードすることを可能にするＨＴＴＰサーバーソフトウェアといったものが考えられる。
【００８６】
外部端末９０３は、前記接続方法またはそれに類する方法によって、記録媒体１０１に記録されている付加情報ファイル１２２を自分自身が備える記録媒体にコピーする。さらに、外部端末９０３は、前記方法によって自分自身の備える記録媒体にコピーした付加情報ファイルを、外部サーバー９０４へと転送する。ここで外部サーバー９０４とは具体的にはインターネット上の電子メールサーバーやウェブサーバー、ＦＴＰサーバーといった、データのアップロードを受け付けるサーバーである。例えば電子メールサーバーを例にとると、外部端末９０３は付加情報ファイルを電子メールに添付して、予め決められたメールアドレス（外部サーバー９０４が提供するメールアドレスの中の１つ）に送信すればよい。
【００８７】
以上に説明した映像再生装置９００および外部端末９０３の動作により、映像に対して関連付けられた付加情報のうちＩＤ情報のみが、「マーカー映像」という形で映像と関連付けられてＳＤＩから出力され、さらに付加情報の全貌は外部サーバー９０４へと別途蓄積されることが可能となる。そして、前記マーカー映像が含む情報はＩＤ情報のみであるがゆえに、付加情報全体をマーカー映像に重畳する場合よりも遥かに高い誤り耐性を持った２次元コードを使用することが可能となる。
【００８８】
次に、映像記録装置１０００の動作について説明する。
【００８９】
図３の映像記録装置３００の場合と同様に、図１０の映像記録装置１０００が備える付加情報復号部３０６は映像信号に含まれる２次元コードを復号するが、この２次元コードに含まれる情報は本実施の形態においてはＩＤ情報のみである。
【００９０】
そこで、映像記録装置１０００は付加情報復号部３０６の出力を、付加情報ファイル検索部１００１に渡す。付加情報ファイル検索部１００１は、受け取ったＩＤ情報をもとにして、映像記録装置１０００の備える外部接続部１００２を通じてデータベースサーバー１００３から付加情報の全貌を取得するソフトウェアまたはハードウェアである。
【００９１】
データベースサーバー１００３は、インターネットを通じて定期的に外部サーバー９０４と通信することで、外部サーバー９０４にアップロードされた付加情報ファイルの内容を、その付加情報ファイルが含むＩＤ情報をキーとしてデータベースに保持するデータベースソフトウェアを備えたサーバーである。
【００９２】
例えば外部サーバー９０４が電子メールサーバーであった場合、データベースサーバー１００３は所定のメールアドレスに届いた電子メールを定期的にチェックする。そして届いている電子メールの添付ファイルを解釈し、それが付加情報ファイルに相当するＸＭＬファイルであった場合（それは例えば、ルートタグが「Ｐ２Ｍａｉｎ」であることや、「ＧｌｏｂａｌＣｌｉｐＩＤ」タグが含まれていることなどで判断できる）は、ＧｌｏｂａｌＣｌｉｐＩＤを主キーとして、その付加情報ファイルに含まれるＸＭＬ文章の全体を、Ｏｒａｃｌｅ（登録商標）、ＤＢ２（登録商標）などのデータベースに保存する。これにより、データベースサーバー１００３は、ＩＤ情報を渡せばそのＩＤ情報が示す映像ファイルに関連付けられた付加情報の全貌を取得することができることとなる。
【００９３】
外部接続部１００２は、データベースサーバー１００３と映像記録装置１０００とを接続するためのハードウェアおよびその制御ソフトウェアである。具体的なハードウェアとしては、有線ＬＡＮや無線ＬＡＮといったネットワーク系の接続方法が考えられる。これらのハードウェアを通じてデータベースサーバー１００３の検索結果を付加情報ファイル検索部１００１に取り込む具体的なソフトウェアとしては、例えばＨＴＴＰのＧＥＴ命令の引数にＩＤ情報を与えてデータベースサーバー１００３に発行して結果をＨＴＭＬやＸＭＬで取得するＨＴＴＰクライアントや、特定のＴＣＰポート、例えばデータベースソフトウェアがＭｙＳＱＬ（登録商標）であった場合はＴＣＰ／３３０６などを通じて直接ＳＱＬ（Ｓｔｒｕｃｔｕｒｅｄ  Ｑｕｅｒｙ  Ｌａｎｇｕａｇｅ）文を送信し、その結果を取得するＳＱＬクライアントなどである。
【００９４】
以上に説明した動作により、付加情報ファイル検索部１００１は、受け取ったＩＤ情報に対応した付加情報の全貌を取得することができる。この付加情報を記録媒体書出部３０８が備える付加情報保存部３０９へと出力することにより、記録媒体書出部３０８は付加情報ファイルを記録媒体３１１へと書き出す。
【００９５】
［２−３．効果等］
以上の動作により、映像再生装置９００が映像送出部１１１から送出する映像に重畳されているのはＩＤ情報のみであるにも関わらず、映像記録装置１０００の備える記録媒体３１１には、映像再生装置９００の備える記録媒体１０１に記録された付加情報ファイル１２２と同一の内容の付加情報ファイルを記録することができる。
【００９６】
（他の実施の形態）
以上のように、本出願において開示する技術の例示として、実施の形態１および実施の形態２を説明した。しかしながら、本開示における技術は、これに限定されず、適宜、変更、置き換え、付加、省略などを行った実施の形態にも適用可能である。また、上記実施の形態１および実施の形態２で説明した各構成要素を組み合わせて、新たな実施の形態とすることも可能である。
【００９７】
そこで、以下、他の実施の形態を例示する。
【００９８】
実施の形態１においては、映像送出部１１１と映像受信部３０２とは、同軸ケーブルでつなぐことによりＳＤＩ信号をやりとりするものとしたが、これは必ずしも信号形式がＳＤＩ信号であったり通信路が同軸ケーブルであったりすることを限定するものではない。本開示は広く「映像のみが伝送される」伝送路に関する課題を解決するものであり、例えば映像を振幅変調や周波数変調を使って伝送しても構わないし、信号の経路中に人工衛星を用いた伝送が入っていても一向に構わない。
【００９９】
実施の形態１においては、まず付加情報を含む２次元コードを表示してから、その付加情報に関連付けられた映像を続けるものとしたが、例えば、その順番は逆でも構わない。２次元コードと映像との送出順番について、映像再生装置１００側のカット点検出部１０９と映像記録装置３００側のファイル関連付け部３１２とのアルゴリズムさえ一致していれば、実施の形態１で説明した効果を発揮することができることは明らかである。
【０１００】
実施の形態１においては、ファイル関連付け部３１２は、ペアとなる映像ファイルと付加情報ファイルとにつき、記録媒体３１１上にその関連付けが明確となる形でファイル名やパスを決定し、保存するソフトウェアまたはハードウェアであるとしたが、必ずしも映像ファイルと付加情報ファイルとは「ペア」であるとは限らない。例えば、映像ファイルの内部に付加情報を埋め込む形で付加情報を扱う場合（例えばＭＸＦのメタデータ領域に付加情報を格納する場合）も考えられる。この場合は、ファイル関連付け部３１２は、映像ファイルのファイル名やパスを決定し、さらに付加情報の埋め込み先となる映像ファイルを特定するためのソフトウェアまたはハードウェアであると言える。
【０１０１】
実施の形態２では、付加情報ファイル１２２は一旦外部端末９０３を経由して外部サーバー９０４に届くものとしたが、実施の形態２において重要なのは最終的に付加情報ファイル１２２が外部サーバー９０４に格納されることである。したがって、例えば外部接続部９０２がＦＴＰクライアント機能などを備えることで、映像再生装置９００から外部サーバー９０４へと付加情報ファイル１２２を直接アップロードする形態であっても構わない。
【０１０２】
実施の形態２では、説明の簡略化のため、付加情報ファイル検索部１００１がＩＤ情報から付加情報の全貌を検索する動作を付加情報復号部３０６からＩＤ情報を受け取った直後に実行するものとしたが、必ずしもそうである必要はない。すなわち、例えば付加情報復号部３０６が復号することによって得られたＩＤ情報だけを記録媒体３１１に一時ファイルとして保存しておくようにしてもよい。そして、映像記録装置１０００が映像ファイルを記録し終わった後にまとめて、付加情報ファイル検索部１００１が前記一時ファイルをスキャンし、そこに書かれたＩＤ情報から付加情報を検索し、ファイルの内容を付加情報の全貌で置き換える動作を行えばよい。
【０１０３】
実施の形態２では、付加情報解析部１０３は、ＩＤ抽出部９０１を用いて付加情報ファイル１２２から「映像ファイルを一意に特定するために必要な情報」を選び出すものとした。しかし、実運用上は、必ずしも映像ファイルを厳密に「一意」に特定できる情報でなくとも問題がない場合も多い。例えば、ＩＤ情報として映像ファイルの先頭タイムコードにあたる情報（図６Ａおよび図６Ｂに示した付加情報の例であれば、「ＳｔａｒｔＴｉｍｅｃｏｄｅ」タグでマークアップされた「１６：０５：５９：２７」という情報）を用いる場合が考えられる。
【０１０４】
前述のようにタイムコードはＳＭＰＴＥ  １２Ｍ−１および１２Ｍ−２で規格化された、映像信号に対して用いる時刻情報である。規格上は、ユーザーはこの値を自分の好きなタイミングで好きな値（例えば「００：００：００：００」）に設定しなおすことができるうえ、ユーザーが明示的にリセットしなくても必ず２４時間で一周する。また、タイムコードには撮影した機器固有の情報は入っていないので、先頭タイムコードが偶然一致する映像ファイルが異なる撮影機材間で生成される可能性もある。よって先頭タイムコードを特定することが、映像ファイルを厳密に「一意に」特定することと同義にはならない。
【０１０５】
しかし、映像をビデオテープや光学フィルムで撮影している時代からの習慣もあり、映像素材をタイムコードで管理することは多い。そして１）タイムコードを撮影の現場で明示的にリセットすることは殆どない、２）撮影した映像を一日ごとに管理すればタイムコードが一周してしまうことはない、３）カメラが少数の場合は先頭タイムコードが衝突することは極めて稀で、もし衝突して自動的な付加情報の付加に失敗したとしても、ユーザーが映像の中身を改めて目視して判別すればよい程度である、といった理由で、先頭タイムコードをＩＤ情報として用いても実運用上まず問題は生じないと考えられる。よって、記録媒体１０１に映像を記録する機器がＵＭＩＤなどの厳密な意味での「一意な」ＩＤ情報を生成する機能を有していなかったとしても、先頭タイムコードの情報をＩＤ情報として用いればよい。また、先頭タイムコードに加えて撮影した機器のシリアル番号（図６Ｂに示した例であれば「ＳｅｒｉａｌＮｏ．」タグでマークアップされた情報）や撮影した日付時刻（図６Ｂに示した例であれば「ＳｔａｒｔＤａｔｅ」タグでマークアップされた情報）をＩＤ情報の中に加えれば、さらに衝突の可能性を減らすことができる。
【０１０６】
さらに、本開示で使用するマーカーとしては、前述の２次元コードに限らず、バーコードでもよい。また、人間が識別できる文字そのものも、コンピュータの画像処理によって埋め込まれた情報の読み出しが可能であるので、マーカーとして利用可能である。
【０１０７】
以上のように、本開示における技術の例示として、実施の形態を説明した。そのために、添付図面および詳細な説明を提供した。
【０１０８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０９】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１０】
本開示の映像再生装置および映像記録装置により、ＳＤＩ転送に代表される既存の映像転送路を用いて映像の伝送をした場合であっても、その映像のもととなった映像ファイルに関連付けられた付加情報が失われることがない。映像に対する付加情報は、映像を編集して使用する時に長い映像の中から重要な部分をピックアップする場合や、アーカイブされた映像から必要な映像を検索する場合に利用できるため、映像の加工や再利用が飛躍的に容易になる。
【符号の説明】
【０１１１】
１００  映像再生装置
１０１  記録媒体
１０２  記録媒体読出部
１０３  付加情報解析部
１０４  映像データ復号部
１０５  マーカー映像生成部
１０６  ２次元コード生成部
１０７  動画化部
１０８  マーカー映像挿入部
１０９  カット点検出部
１１０  ミキサー
１１１  映像送出部
１１２  ＳＤＩ信号化部
１１３  プレイリスト管理部
１２０  撮像機
１２１  映像ファイル
１２２  付加情報ファイル
３００  映像記録装置
３０１  映像受信部
３０２  ＳＤＩ信号復号部
３０３  マーカー検出部
３０４  モニター
３０５  映像データ分離部
３０６  付加情報復号部
３０７  映像圧縮部
３０８  記録媒体書出部
３０９  付加情報保存部
３１０  映像データ保存部
３１１  記録媒体
３１２  ファイル関連付け部
９００  映像再生装置
９０１  ＩＤ抽出部
９０２  外部接続部
９０３  外部端末
９０４  外部サーバー
１０００  映像記録装置
１００１  付加情報ファイル検索部
１００２  外部接続部
１００３  データベースサーバー
【図１】
2015136089.tif 000003
【図２】
2015136089.tif 000004
【図３】
2015136089.tif 000005
【図６Ａ】
2015136089.tif 000006
【図６Ｂ】
2015136089.tif 000007
【図７】
2015136089.tif 000008
【図１１】
2015136089.tif 000009
【図４】
2015136089.tif 000010
【図５】
2015136089.tif 000011
【図８】
2015136089.tif 000012
【図９】
2015136089.tif 000013
【図１０】
2015136089.tif 000014